(57)【特許請求の範囲】
【請求項１】
複数本の光ファイバ心線を並列に並べて一体化したテープ心線である被測定用ファイバの伝送特性を測定する光ファイバの測定方法であって、
前記複数本の光ファイバ心線の一端を４本ずつ複数のグループに分け、
前記複数のグループを、Ｖ溝ブロック上に並列に形成された複数のＶ溝に、各グループ間に少なくとも１つのＶ溝を空けた状態で保持させ、
一番心、二番心、三番心および四番心の４本の光ファイバ心線を順番に並列に並べて一体化したテープ心線である測定用ダミーファイバを前記Ｖ溝に保持させて、前記複数のグループのうち第一グループの被測定用ファイバの光ファイバ心線と前記測定用ダミーファイバの光ファイバ心線とを前記Ｖ溝ブロック上で突き合わせて、前記第一グループの被測定用ファイバの光ファイバ心線の伝送特性を測定し、
次に前記測定用ダミーファイバの位置をずらして前記第一グループとは異なる第二グループの被測定用ファイバと前記測定用ダミーファイバとを前記Ｖ溝ブロック上で突き合わせて、前記第二グループの被測定用ファイバの光ファイバ心線の伝送特性を測定する、光ファイバ測定方法。
【請求項２】
前記第二グループの被測定用ファイバの測定の後に、前記測定用ダミーファイバの位置をずらして前記第一および第二グループとは異なる第三グループの被測定用ファイバと前記測定用ダミーファイバとを前記Ｖ溝ブロック上で突き合わせて、前記第三グループの被測定用ファイバの光ファイバ心線の伝送特性を測定する、請求項１に記載の光ファイバ測定方法。
【請求項３】
前記各グループの被測定用ファイバの測定は、
前記被測定用ファイバの４本の光ファイバ心線と前記測定用ダミーファイバの４本の光ファイバ心線を突き合わせ、前記測定用ダミーファイバの前記一番心および前記三番心の光ファイバ心線にそれぞれ接続した伝送特性測定器で前記被測定用ファイバの前記光ファイバ心線の伝送特性を測定するとともに、前記四番心の光ファイバ心線に接続したファイバ検知器で前記被測定用ファイバの有無を検知する第一測定を実行し、
前記測定用ダミーファイバを四番心側に１心ずつずらして前記被測定用ファイバの３本の光ファイバ心線と前記測定用ダミーファイバの一番心、二番心および三番心の３本の光ファイバ心線を突き合わせて前記伝送特性測定器による測定および前記ファイバ検知器による検知を行う第二測定を実行し、
前記第一測定および前記第二測定における前記伝送特性測定器の測定結果から前記被測定用ファイバの光ファイバ心線の伝送特性を取得するとともに、前記第一測定および前記第二測定における前記伝送特性測定器の測定結果および前記ファイバ検知器の検知結果から前記被測定用ファイバに対する前記測定用ダミーファイバの軸ずれの有無を判定する、請求項１または請求項２に記載の光ファイバの測定方法。
【請求項４】
前記被測定用ファイバの複数本の光ファイバ心線間に櫛歯状仕切り部材を装着し、各グループ間の空隙を拡げた状態で前記Ｖ溝に前記被測定用ファイバを保持させる、請求項１から請求項３のいずれか一項に記載の光ファイバの測定方法。
【発明の詳細な説明】
【技術分野】
【０００１】
本発明は、光ケーブルの光ファイバ心線の伝送特性検査を行う光ファイバ測定方法および光ファイバ測定装置に関する。
【背景技術】
【０００２】
従来、光ケーブルに収納されている光ファイバの伝送特性検査は、ＯＴＤＲ測定器（Ｏｐｔｉｃａｌ  Ｔｉｍｅ  Ｄｏｍａｉｎ  Ｒｅｆｌｅｃｔｍｅｔｅｒ）で行われている。多心の光ファイバが測定対象である場合は、測定補助装置（ＭＡＳ：Ｍｕｌｔｉｐｌｅ  Ａｌｉｇｎｍｅｎｔ  Ｓｙｓｔｅｍ）を使用して多芯の光ファイバの伝送特性が効率よく測定される。
【０００３】
特許文献１は、伝送特性検査を行う測定装置として、４本の光ファイバ心線を並列に並べて一体化したテープ心線である被測定用ファイバと同数の４本の光ファイバ心線を並列に並べて一体化したテープ心線である測定用ダミーファイバと、測定用ダミーファイバの各光ファイバ心線毎に接続されたＯＴＤＲ測定器とを備えた測定装置を開示する。特許文献１の測定装置によれば、ＭＡＳ上に固定されたＶ溝ブロック上に並列に形成された複数のＶ溝に、被測定用ファイバである４本の光ファイバ心線の端末を挿入し、次に被測定用ファイバが挿入された適切な各Ｖ溝内に測定用ダミーファイバを挿入して、被測定用ファイバの端部と測定用ダミーファイバの端部とを突き合わせることで被測定用ファイバの各光ファイバ心線の伝送特性が測定される。
【０００４】
また、４心のテープ心線のほかに、８本の光ファイバ心線を並列に並べて一体化した８心のテープ心線からなる被測定用ファイバが知られている。このような８心の被測定用ファイバの伝送特性を測定する場合は、Ｖ溝ブロック上に並列に形成されたＶ溝に８心の被測定用ファイバの各光ファイバ心線を隙間のない状態で連続して挿入させる。そして、被測定用ファイバの４本の光ファイバ心線ごとに４心の測定用ダミーファイバを突合せて２回の測定が行われる。
【先行技術文献】
【特許文献】
【０００５】
【特許文献１】特開２０１３−１６４３９８号公報
【発明の概要】
【発明が解決しようとする課題】
【０００６】
上記のような伝送特性測定装置においては、測定用ダミーファイバが適切な位置に挿入されず正規の被測定用ファイバとのＶ溝接続が行われない、いわゆる「軸ずれ」が発生することがある。しかしながら、８心の被測定用ファイバをＶ溝に隙間なく挿入する従来の方法では、軸ずれの有無を正確に検出することが困難であった。
【０００７】
本発明は、軸ずれの有無を容易かつ正確に検出することができる光ファイバ測定方法および光ファイバ測定装置を提供することを目的とする。
【課題を解決するための手段】
【０００８】
本発明にかかる光ファイバ測定方法は、
複数本の光ファイバ心線を並列に並べて一体化したテープ心線である被測定用ファイバの伝送特性を測定する光ファイバ測定方法であって、
前記複数本の光ファイバ心線の一端を４本ずつ複数のグループに分け、
前記複数のグループを、Ｖ溝ブロック上に並列に形成された複数のＶ溝に、各グループ間に少なくとも１つのＶ溝を空けた状態で保持させ、
一番心、二番心、三番心および四番心の４本の光ファイバ心線を順番に並列に並べて一体化したテープ心線である測定用ダミーファイバを前記Ｖ溝に保持させて、前記複数のグループのうち第一グループの被測定用ファイバの光ファイバ心線と前記測定用ダミーファイバの光ファイバ心線とを前記Ｖ溝ブロック上で突き合わせて、前記第一グループの被測定用ファイバの光ファイバ心線の伝送特性を測定し、
次に前記測定用ダミーファイバの位置をずらして前記第一グループとは異なる第二グループの被測定用ファイバと前記測定用ダミーファイバとを前記Ｖ溝ブロック上で突き合わせて、前記第二グループの被測定用ファイバの光ファイバ心線の伝送特性を測定する。
【発明の効果】
【００１０】
本発明によれば、軸ずれの有無を容易かつ正確に検出することができる。
【図面の簡単な説明】
【００１１】
【図１】本発明の一実施形態に係る光ファイバ測定装置の構成を示すブロック図である。
【図２】図１のＭＡＳの要部を示す拡大図である。
【図３】被測定用ファイバの光ファイバ心線がＶ溝ブロックのＶ溝内に挿入された状態を示す断面図である。
【図４】被測定用ファイバおよび測定用ダミーファイバがＶ溝内に挿入された状態を示す上面斜視図である。
【図５】仕切り部材の端面を示す図である。
【図６】仕切り部材の第一櫛歯を示す斜視図である。
【図７】（ａ）は、仕切り部材の第二櫛歯を示す斜視図であり、（ｂ）は、第二櫛歯を示す側面図である。
【図８】（ａ）〜（ｃ）は、被測定用ファイバに仕切り部材が装着される場合を示す概略構成図である。
【図９】（ａ）および（ｂ）は、光ファイバ測定装置の構成および測定方法を説明する概略構成図である。
【図１０】（ａ）〜（ｄ）は、変形例に係る光ファイバ測定装置の構成および測定方法を説明する概略構成図である。
【図１１】変形例に係る光ファイバ測定方法の流れを説明するフローチャートである。
【図１２】変形例に係る光ファイバの測定時における各種の測定ケースを示す図である。
【図１３】変形例に係る光ファイバの測定時における各種の測定ケースを示す図である。
【図１４】変形例に係る光ファイバの測定時における各種の測定ケースを示す図である。
【図１５】変形例に係る光ファイバの測定時における各種の測定ケースを示す図である。
【図１６】別の変形例に係る光ファイバ測定装置の構成を示す上面斜視図である。
【発明を実施するための形態】
【００１２】
〈本発明の実施形態の概要〉
最初に本発明の実施形態の概要を説明する。
本発明にかかる光ファイバ測定方法の一実施形態は、
（１）複数本の光ファイバ心線を並列に並べて一体化したテープ心線である被測定用ファイバの伝送特性を測定する光ファイバの測定方法であって、
前記複数本の光ファイバ心線の一端を４本ずつ複数のグループに分け、
前記複数のグループを、Ｖ溝ブロック上に並列に形成された複数のＶ溝に、各グループ間に少なくとも１つのＶ溝を空けた状態で保持させ、
一番心、二番心、三番心および四番心の４本の光ファイバ心線を順番に並列に並べて一体化したテープ心線である測定用ダミーファイバを前記Ｖ溝に保持させて、前記複数のグループのうち第一グループの被測定用ファイバの光ファイバ心線と前記測定用ダミーファイバの光ファイバ心線とを前記Ｖ溝ブロック上で突き合わせて、前記第一グループの被測定用ファイバの光ファイバ心線の伝送特性を測定し、
次に前記測定用ダミーファイバの位置をずらして前記第一グループとは異なる第二グループの被測定用ファイバと前記測定用ダミーファイバとを前記Ｖ溝ブロック上で突き合わせて、前記第二グループの被測定用ファイバの光ファイバ心線の伝送特性を測定する。
（１）の構成によれば、複数本の光ファイバ心線を有する被測定用ファイバを４本ずつ複数のグループに分けて、各グループ間に少なくとも１つのＶ溝を空けた状態で被測定用ファイバをＶ溝内に配置して、グループごとに測定用ダミーファイバと突き合わせて伝送特性の測定を行う。これにより、軸ずれの有無を容易かつ正確に検出することができる。
【００１３】
（２）前記第二グループの被測定用ファイバの測定の後に、前記測定用ダミーファイバの位置をずらして前記第一および第二グループとは異なる第三グループの被測定用ファイバと前記測定用ダミーファイバとを前記Ｖ溝ブロック上で突き合わせて、前記第三グループの被測定用ファイバの光ファイバ心線の伝送特性を測定してもよい。
（２）の構成によれば、１２心の被測定用ファイバの伝送特性を測定する際も、軸ずれの有無を容易かつ正確に検出することができる。
【００１４】
（３）前記各グループの被測定用ファイバの測定は、
前記被測定用ファイバの４本の光ファイバ心線と前記測定用ダミーファイバの４本の光ファイバ心線を突き合わせ、前記測定用ダミーファイバの前記一番心および前記三番心の光ファイバ心線にそれぞれ接続した伝送特性測定器で前記被測定用ファイバの前記光ファイバ心線の伝送特性を測定するとともに、前記四番心の光ファイバ心線に接続したファイバ検知器で前記被測定用ファイバの有無を検知する第一測定を実行し、
前記測定用ダミーファイバを四番心側に１心ずつずらして前記被測定用ファイバの３本の光ファイバ心線と前記測定用ダミーファイバの一番心、二番心および三番心の３本の光ファイバ心線を突き合わせて前記伝送特性測定器による測定および前記ファイバ検知器による検知を行う第二測定を実行し、
前記第一測定および前記第二測定における前記伝送特性測定器の測定結果から前記被測定用ファイバの光ファイバ心線の伝送特性を取得するとともに、前記第一測定および前記第二測定における前記伝送特性測定器の測定結果および前記ファイバ検知器の検知結果から前記被測定用ファイバに対する前記測定用ダミーファイバの軸ずれの有無を判定してもよい。
（３）の構成によれば、伝送特性測定器の測定結果およびファイバ検知器の検知結果から被測定用ファイバに対する測定用ダミーファイバの軸ずれの有無を確実に判定することができる。
また、ＯＴＤＲ測定器を２台のみ用いて、各グループで第一測定と第二測定の２回の測定を行うことで、８心の被測定用ファイバの全ての光ファイバ心線の伝送特性を測定することができる。そのため、高価なＯＴＤＲ測定器を測定用ダミーファイバの光ファイバ心線の数だけ用いる必要がなく、設備費を抑えることができる。さらに、軸ずれの有無の判定に用いるファイバ検知器としては、光学的に光ファイバ心線の有無を検知する安価なものを用いたり、老朽化して性能が低下した伝送特性測定器を有効利用することができ、経済的である。
【００１５】
（４）前記被測定用ファイバの複数本の光ファイバ心線間に櫛歯状仕切り部材を装着し、各グループ間の空隙を拡げた状態で前記Ｖ溝に前記被測定用ファイバを保持させてもよい。
（４）の構成によれば、櫛歯状仕切り部材を用いることにより、被測定用ファイバの光ファイバ心線の先端部において、各グループの間の空隙を所定の範囲で拡張できる。そのため、被測定用ファイバの光ファイバ心線が未挿入となるべきＶ溝への光ファイバ心線の誤挿入を確実に防止することができる。
【００１６】
本発明にかかる光ファイバ測定装置の一実施形態は、
（５）複数本の光ファイバ心線を並列に並べて一体化したテープ心線である被測定用ファイバの伝送特性を測定する光ファイバ測定装置であって、
一番心、二番心、三番心および四番心の４本の光ファイバ心線を順番に並列に並べて一体化したテープ心線である測定用ダミーファイバと、
光ファイバ心線を保持する複数のＶ溝が並列に形成されたＶ溝ブロックのそれぞれの前記Ｖ溝で前記測定用ダミーファイバの一端の各光ファイバ心線と前記被測定用ファイバの一端の各光ファイバ心線とを突き合わせる測定補助装置と、
前記測定用ダミーファイバの光ファイバ心線の他端に接続されて前記被測定用ファイバの光ファイバ心線の伝送特性を測定する複数の伝送特性測定器と、
前記複数の伝送特性測定器および前記測定補助装置を動作制御する制御装置と、
を備え、
前記被測定用ファイバの前記一端の光ファイバ心線は、４本ずつ複数のグループに分けられ、
前記複数のグループは、各グループ間に少なくとも１つのＶ溝を空けた状態で前記Ｖ溝に保持され、
前記測定用ダミーファイバは前記複数のグループのうち第一グループの被測定用ファイバと前記Ｖ溝ブロック上で突き合わされて、前記第一グループの被測定用ファイバの光ファイバ心線の伝送特性が測定され、
前記測定用ダミーファイバはさらに前記第一グループとは異なる第二グループの被測定用ファイバと前記Ｖ溝ブロック上で突き合わされて、前記第二グループの被測定用ファイバの光ファイバ心線の伝送特性が測定される。
（５）の構成によれば、複数本の光ファイバ心線を有する被測定用ファイバが４本ずつ複数のグループに分けられて、各グループ間に少なくとも１つのＶ溝を空けた状態で被測定用ファイバがＶ溝内に配置され、グループごとに測定用ダミーファイバと突き合わされて伝送特性の測定が行なわれる。これにより、軸ずれの有無を容易かつ正確に検出することができる。
【００１７】
（６）前記測定用ダミーファイバはさらに前記第一および第二グループとは異なる第三グループの被測定用ファイバと前記Ｖ溝ブロック上で突き合わされて、前記第三グループの被測定用ファイバの光ファイバ心線の伝送特性が測定されてもよい。
（６）の構成によれば、１２心の被測定用ファイバの伝送特性を測定する際も、軸ずれの有無を容易かつ正確に検出することができる。
【００１８】
（７）前記複数の伝送特性測定器は、前記測定用ダミーファイバの一番心および三番心の光ファイバ心線の他端に接続された２台の伝送特性測定器であり、
前記測定用ダミーファイバの四番心の光ファイバ心線の他端に接続されて前記被測定用ファイバの光ファイバ心線の有無を検知する１台のファイバ検知器をさらに備え、
前記制御装置は、前記複数のグループごとに、
前記被測定用ファイバの４本の光ファイバ心線と前記測定用ダミーファイバの４本の光ファイバ心線を突き合わせて前記伝送特性測定器による測定および前記ファイバ検知器による検知を行う第一測定と、
前記測定用ダミーファイバを四番心側に１心ずつずらして前記被測定用ファイバの３本の光ファイバ心線と前記測定用ダミーファイバの一番心、二番心および三番心の光ファイバ心線を突き合わせて前記伝送特性測定器による測定および前記ファイバ検知器による検知を行う第二測定とを実行し、
前記第一測定および前記第二測定における前記伝送特性測定器の測定結果から前記被測定用ファイバの４本の光ファイバ心線の伝送特性を取得するとともに、前記第一測定および前記第二測定における前記伝送特性測定器の測定結果および前記ファイバ検知器の検知結果から前記被測定用ファイバに対する前記測定用ダミーファイバの軸ずれの有無を判定してもよい。
（７）の構成によれば、伝送特性測定器の測定結果およびファイバ検知器の検知結果から被測定用ファイバに対する測定用ダミーファイバの軸ずれの有無を確実に判定することができる。
また、ＯＴＤＲ測定器を２台のみ用いて、各グループで第一測定と第二測定の２回の測定を行うことで、８心の被測定用ファイバの全ての光ファイバ心線の伝送特性を測定することができる。そのため、高価なＯＴＤＲ測定器を測定用ダミーファイバの光ファイバ心線の数だけ用いる必要がなく、設備費を抑えることができる。さらに、軸ずれの有無の判定に用いるファイバ検知器としては、光学的に光ファイバ心線の有無を検知する安価なものを用いたり、老朽化して性能が低下した伝送特性測定器を有効利用することができ、経済的である。
【００１９】
（８）さらに櫛歯状仕切り部材を備え、
前記櫛歯状仕切り部材は、前記被測定用ファイバの複数本の光ファイバ心線間に装着されて、前記少なくとも１つのＶ溝に前記光ファイバ心線が配置されないように前記各グループ間の空隙が拡げられてもよい。
（８）の構成によれば、櫛歯状仕切り部材を備えることにより、被測定用ファイバの光ファイバ心線の先端部において、各グループの間の空隙を所定の範囲で拡張できる。そのため、被測定用ファイバの光ファイバ心線が未挿入となるべきＶ溝への光ファイバ心線の誤挿入を確実に防止することができる。
【００２０】
〈本発明の実施形態の詳細〉
以下、本発明に係る光ファイバ測定方法および測定装置の実施の形態の例を、図面を参照して説明する。なお、本発明はこれらの例示に限定されるものではなく、特許請求の範囲によって示され、特許請求の範囲と均等の意味および範囲内でのすべての変更が含まれることが意図される。
【００２１】
図１は、本発明の一実施形態に係る光ファイバ測定装置１０の構成を示すブロック図である。
図１に示すように、本実施形態の光ファイバ測定装置１０は、測定用ダミーファイバＦ０の一端側が接続された４台のＯＴＤＲ測定器１１Ａと、Ｖ溝ブロック１４上で測定用ダミーファイバＦ０と被測定用ファイバＦ１とを突き合わせる測定補助装置（ＭＡＳ）１２と、ＯＴＤＲ測定器１１ＡおよびＭＡＳ１２を動作制御する制御装置１３とを備えている。
【００２２】
ＯＴＤＲ測定器１１Ａは、被測定用ファイバＦ１の光ファイバ心線に光パルスを入射し、各部位からの後方散乱光の戻り時間と光量を測定することで、被測定用ファイバＦ１の光ファイバ心線上の損失分布や損失値（ロス値）、欠陥位置等を算出する。被測定用ファイバＦ１の光ファイバ心線自体に局所的にロスが高い箇所があると、ＯＴＤＲ波形上では傾きの変化（段差量、区間ロス値）として現れる。ＯＴＤＲ測定器１１Ａは、このような傾きの変化を段差異常や区間ロス異常として認識する。
【００２３】
制御装置１３は、伝送特性検査用の検査ソフトがインストールされている。制御装置１３は、ＯＴＤＲ測定器１１Ａへ制御信号１５を発信してＯＴＤＲ測定器１１Ａの動作制御を行う。また、制御装置１３は、ＯＴＤＲ測定器１１Ａが取得した測定データ１６を受信して、測定データ１６を解析して良否判定を行う。さらに、制御装置１３は、ＭＡＳ１２へ制御信号１７を発信して、後述する可動ヘッド２０の動作制御を行う。これにより、可動ヘッド２０は、Ｖ溝ブロック１４上の接続部Ｐに位置決めされている各被測定用ファイバＦ１に、測定用ダミーファイバＦ０の他端側を突き合わせる。
【００２４】
図２は、図１のＭＡＳ１２の要部を示す拡大図である。
図２に示すように、ＭＡＳ１２は、ガイドレール２２上を移動する可動ヘッド２０と、８心の被測定用ファイバＦ１を保持するテープホルダ２３と、テープホルダ２３毎に被測定用ファイバＦ１を配置する複数列のステージ２４とを備えている。各ステージ２４の前方には、複数のＶ溝Ｖｍ（図３参照）を有するＶ溝ブロック１４が設けられている。ステージ２４は、Ｖ溝ブロック１４に向かって所定角度だけ傾斜している。
【００２５】
図２に示すように、可動ヘッド２０は、ガイドレール２２によって矢印２５方向に移動可能なように設定されている。可動ヘッド２０上には、測定用ダミーファイバＦ０を保持するダミーホルダ２１が設けられている。ダミーホルダ２１は、ガイドレール２２に沿った可動ヘッド２０の移動方向である矢印２５方向に対して直角な矢印２６方向に所定距離だけ移動可能なように設定されている。ダミーホルダ２１は、４心の測定用ダミーファイバＦ０を保持する。
【００２６】
図２に示すように、被測定用ファイバＦ１の光ファイバ心線は、８本が一平面上に隣接して接触した状態で並列状に配置されている。並列された８本の光ファイバ心線の外周は、テープ心線樹脂によって一体的に被覆されてテープ心線の状態とされている。被測定用ファイバＦ１の光ファイバ心線は、中心にコアとクラッドから成るガラスファイバが配置されている。光ファイバ心線の外周は、着色層を含む樹脂で被覆されている。
被測定用ファイバＦ１は、配列の一方側から順番に、一番心光ファイバ心線Ｆ１１、二番心光ファイバ心線Ｆ１２、三番心光ファイバ心線Ｆ１３、四番心光ファイバ心線Ｆ１４、五番心光ファイバ心線Ｆ１５、六番心光ファイバ心線Ｆ１６、七番心光ファイバ心線Ｆ１７および八番心光ファイバ心線Ｆ１８を備えている。なお、被測定用ファイバＦ１の光ファイバ心線Ｆ１１〜Ｆ１８の先端部において着色層を含む所定長さの被覆樹脂を剥ぐことでガラスファイバが露出されている。
【００２７】
図２に示すように、測定用ダミーファイバＦ０は、４本の光ファイバ心線を有している。被測定用ファイバＦ１と同様に、測定用ダミーファイバＦ０の光ファイバ心線は、中心にコアとクラッドから成るガラスファイバが配置され、その外周が着色層を含むファイバ樹脂で被覆されている。
測定用ダミーファイバＦ０は、配列の一方側から順番に、一番心光ファイバ心線Ｆ０１、二番心光ファイバ心線Ｆ０２、三番心光ファイバ心線Ｆ０３および四番心光ファイバ心線Ｆ０４を備えている。測定用ダミーファイバＦ０の光ファイバ心線Ｆ０１〜Ｆ０４のピッチは、被測定用ファイバＦ１の光ファイバ心線Ｆ１１〜Ｆ１８のピッチと同一である。なお、測定用ダミーファイバＦ０をダミーホルダ２１への取付ける前に、測定用ダミーファイバＦ０の光ファイバ心線Ｆ０１〜Ｆ０４の先端部において所定長さの被覆樹脂を剥ぐことでガラスファイバが露出されている。
【００２８】
測定用ダミーファイバＦ０は、可動ヘッド２０上のダミーホルダ２１の所定位置に取付けられる。ダミーホルダ２１に取り付けられた測定用ダミーファイバＦ０は、図２の矢印２６方向へ移動され、測定用ダミーファイバＦ０の光ファイバ心線Ｆ０１〜Ｆ０４の先端部が、Ｖ溝ブロック１４上に配置された被測定用ファイバＦ１の光ファイバ心線Ｆ１１〜Ｆ１８の先端部と突き合わされるように制御される。
【００２９】
図３は、被測定用ファイバＦ１の光ファイバ心線Ｆ１１〜Ｆ１８がＶ溝ブロック１４のＶ溝Ｖｍ内に挿入された状態を示す断面図である。
図３に示すように、Ｖ溝ブロック１４には、山部３１と谷部３２が交互に形成されることで、第零番溝Ｖｍ０、第一番溝Ｖｍ１、第二番溝Ｖｍ２、第三番溝Ｖｍ３、第四番溝Ｖｍ４、第五番溝Ｖｍ５、第六番溝Ｖｍ６、第七番溝Ｖｍ７、第八番溝Ｖｍ８、第九番溝Ｖｍ９、第十番溝Ｖｍ１０などの複数のＶ溝Ｖｍが形成されている。
【００３０】
図４は、被測定用ファイバＦ１および測定用ダミーファイバＦ０がＶ溝Ｖｍ内に挿入された状態を示す上面斜視図である。
図４に示すように、８心のテープ心線である被測定用ファイバＦ１は、テープホルダ２３に保持されている。また、４心のテープ心線である測定用ダミーファイバＦ０は、ダミーホルダ２１に保持されている。そして、被測定用ファイバＦ１がＶ溝ブロック１４上に導入される前に、櫛歯状の仕切り部材１８が被測定用ファイバＦ１のテープホルダ２３側の根元部に挿入される。これにより、被測定用ファイバＦ１の光ファイバ心線Ｆ１１〜Ｆ１８は、一番心光ファイバ心線Ｆ１１〜四番心光ファイバ心線Ｆ１４を含む第一グループＧ１と、五番心光ファイバ心線Ｆ１５〜八番心光ファイバ心線Ｆ１８を含む第二グループＧ２とに分けられる。第一グループＧ１と第二グループＧ２とに分けられた光ファイバ心線Ｆ１１〜Ｆ１８は、第一グループＧ１と第二グループＧ２との間、すなわち四番心光ファイバ心線Ｆ１４と五番心光ファイバ心線Ｆ１５との間の空隙が拡がった状態となる。この状態で、光ファイバ心線Ｆ１１〜Ｆ１８は、図３および図４に示すように、第五番Ｖ溝Ｖｍ５を空けた状態でＶ溝Ｖｍ１〜Ｖｍ９に保持される。詳細には、第一グループＧ１の光ファイバ心線Ｆ１１〜Ｆ１４が第一番Ｖ溝Ｖｍ１〜第四番Ｖ溝Ｖｍ４にそれぞれ保持され、第二グループＧ２の光ファイバ心線Ｆ１５〜Ｆ１８が第六番Ｖ溝Ｖｍ６〜第九番Ｖ溝Ｖｍ９にそれぞれ保持される。
【００３１】
図５は、仕切り部材１８の端面を示す図である。
図５に示すように、仕切り部材１８は、中央部に配置された第一櫛歯１８Ａと、第一櫛歯１８Ａの両側に配置された複数の第二櫛歯１８Ｂと、仕切り部材１８の両端にそれぞれ配置された２つの第三櫛歯１８Ｃと、第一櫛歯１８Ａ、第二櫛歯１８Ｂおよび第三櫛歯１８Ｃを保持する基部１８Ｄと、を備えている。
【００３２】
図６は、仕切り部材１８の第一櫛歯１８Ａを示す斜視図である。
図６に示すように、仕切り部材１８の中央に配置された第一櫛歯１８Ａは、その長手方向に直交する方向の端面において、略二等辺三角形状の尖った先端部を有している。そして、第一櫛歯１８Ａは、その長手方向において、被測定用ファイバＦ１の光ファイバ心線の根元側から先端側に向かって次第に太くなるように形成されている。すなわち、第一櫛歯１８Ａのテープホルダ２３側の幅ＷＡ１は、テープホルダ２３側とは反対の先端側の幅ＷＡ２よりも細い。また、図５および図６に示すように、第一櫛歯１８Ａの高さは、第二櫛歯１８Ｂおよび第三櫛歯１８Ｃの高さよりも大きく、これにより、第一櫛歯１８Ａは第二櫛歯１８Ｂおよび第三櫛歯１８Ｃよりも上方に突出している。
【００３３】
図７（ａ）は、仕切り部材１８の第二櫛歯１８Ｂを示す斜視図であり、図７（ｂ）は、第二櫛歯１８Ｂを示す側面図である。
図５および図７（ａ）に示すように、第二櫛歯１８Ｂの長手方向に直交する方向の端面において、第二櫛歯１８Ｂの内側面は基部１８Ｄに対して垂直な面として形成されているとともに、第二櫛歯１８Ｂの外側面はその先端部が内側面側に向けて傾斜した面として形成されている。図７（ａ）に示すように、第二櫛歯１８Ｂの基部１８Ｄ側の幅ＷＢは、その長手方向において一定である。図７（ｂ）に示すように、第二櫛歯１８Ｂの高さは、被測定用ファイバＦ１の先端側と根元側で異なっている。具体的には、第二櫛歯１８Ｂの被測定用ファイバＦ１の根元側の高さＨＢ１は、被測定用ファイバＦ１の先端側の高さＨＢ２よりも大きく、これにより、第二櫛歯１８Ｂの上面は階段状に形成されている。また、第二櫛歯１８Ｂの上縁部において、被測定用ファイバＦ１の根元側にある上段部の長さＬＢ１は、被測定用ファイバＦ１の先端側にある下段部の長さＬＢ２よりも短い。
【００３４】
図５に示すように、第三櫛歯１８Ｃの内側面の先端部は、第三櫛歯１８Ｃの外側面に向けて傾斜した切り欠き状に形成されている。これにより、第二櫛歯１８Ｂと第三櫛歯１８Ｃとの間の凹部に光ファイバ心線（Ｆ１１，Ｆ１８）が導入されやすい。
【００３５】
上記のように構成された各櫛歯１８Ａ〜１８Ｃの間に形成される凹部にそれぞれ光ファイバ心線Ｆ１１〜Ｆ１８が誘導される。これにより、図４に示すように、被測定用ファイバＦ１の光ファイバ心線Ｆ１１〜Ｆ１８は、その根元部から先端部にかけて左右対称に扇状に拡げられる。
【００３６】
図８（ａ）〜（ｃ）を参照して、各光ファイバ心線Ｆ１１〜Ｆ１８間への仕切り部材１８の挿入過程を説明する。
まず、仕切り部材１８の第一櫛歯１８Ａの先端部が、被測定用ファイバＦ１の四番心光ファイバ心線Ｆ１４と五番心光ファイバ心線Ｆ１５との間の空隙に収まるように、仕切り部材１８のおおよその位置調整を行う。
【００３７】
次に、図８（ａ）に示すように、櫛歯１８Ａ〜１８Ｃのうち最も高い第一櫛歯１８Ａの先端部が、四番心光ファイバ心線Ｆ１４と五番心光ファイバ心線Ｆ１５とに接触し、両光ファイバ心線Ｆ１４，Ｆ１５を左右へ移動させる。これにより、四番心光ファイバ心線Ｆ１４と五番心光ファイバ心線Ｆ１５との間の空隙が根元側から先端側にかけて徐々に扇状に拡がる。こうして、被測定用ファイバＦ１は、光ファイバ心線Ｆ１１〜Ｆ１４からなる第一グループＧ１と、光ファイバ心線Ｆ１５〜Ｆ１８からなる第二グループＧ２とに分けられる。
【００３８】
図８（ｂ）に示すように、仕切り部材１８がさらに上方へ移動するにつれて、四番心光ファイバ心線Ｆ１４と五番心光ファイバ心線Ｆ１５との間隔が拡大していく。それとともに、一番心光ファイバ心線Ｆ１１〜三番心光ファイバ心線Ｆ１３および六番心光ファイバ心線Ｆ１６〜八番心光ファイバ心線Ｆ１８が各第二櫛歯１８Ｂの傾斜面に接触する。そして、第一グループＧ１を構成する光ファイバ心線Ｆ１１〜Ｆ１３と第二グループＧ２を構成する光ファイバ心線Ｆ１６〜Ｆ１８とがそれぞれ左右へ移動する。これにより、すべての光ファイバ心線Ｆ１１〜Ｆ１８が、根元側から先端側にかけて徐々に扇状へ拡がるようにガイドされる。
【００３９】
第二櫛歯Ｂが被測定用ファイバＦ１の光ファイバ心線Ｆ１１〜Ｆ１８間に挿入される段階では、光ファイバ心線Ｆ１１〜Ｆ１８のうち四番心光ファイバ心線Ｆ１４および五番心光ファイバ心線Ｆ１５以外はまだ扇状に広がり始めてはおらず、直線的な並列状態にある。その状態で一定角度を持った第二櫛歯１８Ｂの上部を光ファイバ心線Ｆ１１〜Ｆ１８間に挿入しようとすると、第二櫛歯１８Ｂが光ファイバ心線Ｆ１１〜Ｆ１８と干渉し、適切な挿入がなされない恐れがある。本実施形態においては、第二櫛歯１８Ｂの上縁部において、被測定用ファイバＦ１の根元側の部分が高くかつ短くなるように設計されている。これにより、第二櫛歯１８Ｂは、最初に光ファイバ心線Ｆ１１〜Ｆ１８の根元側に挿入され、その後、光ファイバ心線Ｆ１１〜Ｆ１８の先端側に挿入される。この構成によれば、第二櫛歯１８Ｂの光ファイバ心線Ｆ１１〜Ｆ１８間へのスムーズな導入が可能となる。
【００４０】
図８（ｃ）に示すように、被測定用ファイバＦ１の全ての光ファイバ心線Ｆ１１〜Ｆ１８が櫛歯１８Ａ〜１８Ｃ間の凹部に分離して格納されることにより、光ファイバ心線Ｆ１１〜Ｆ１８はファイバ根元側から先端側にかけて扇状に拡がる。このとき、光ファイバ心線Ｆ１１〜Ｆ１８のファイバ先端部における中心間距離は下記の寸法となる。
・四番心光ファイバ心線Ｆ１４と五番心光ファイバ心線Ｆ１５の間…Ｖ溝ブロック１４上のＶ溝Ｖｍの２ピッチ分（例えば、光ファイバ心線２本分である約０.５ｍｍ）
・それ以外の光ファイバ心線間…Ｖ溝Ｖｍの１ピッチ分（例えば、光ファイバ心線１本分である約０.２５ｍｍ）
【００４１】
図９（ａ）および（ｂ）は、本実施形態に係る光ファイバ測定装置１０の構成および測定方法を説明する概略構成図である。
図９（ａ）に示すように、測定用ダミーファイバＦ０には、接続用単心光ファイバ４１が接続されている。測定用ダミーファイバＦ０の一番心光ファイバ心線Ｆ０１〜四番心光ファイバ心線Ｆ０４は、接続用単心光ファイバ４１を介して、それぞれＯＴＤＲ測定器１１Ａに接続されている。
【００４２】
次に、本実施形態に係る光ファイバ測定方法について説明する。
本実施形態では、制御装置１３がＯＴＤＲ測定器１１ＡおよびＭＡＳ１２を動作制御し、被測定用ファイバＦ１を２回に分けて測定し、その後、軸ずれによる再測定の要否を判定する。
【００４３】
まず、被測定用ファイバＦ１の光ファイバ心線Ｆ１１〜Ｆ１８をＶ溝ブロック１４の第一番溝Ｖｍ１〜第九番溝Ｖｍ９に保持させる（図３および図４参照）。このとき、第五番溝Ｖｍ５には光ファイバ心線は保持されない。
【００４４】
次に、図９（ａ）に示すように、測定用ダミーファイバＦ０の光ファイバ心線Ｆ０１〜Ｆ０４を第一番溝Ｖｍ１〜第四番溝Ｖｍ４に保持させ、光ファイバ心線Ｆ０１〜Ｆ０４を被測定用ファイバＦ１の一番心光ファイバ心線Ｆ１１〜四番心光ファイバ心線Ｆ１４に対向させる。
そして、測定用ダミーファイバＦ０を被測定用ファイバＦ１側へ移動させ、測定用ダミーファイバＦ０の光ファイバ心線Ｆ０１〜Ｆ０４を被測定用ファイバＦ１の光ファイバ心線Ｆ１１〜Ｆ１４に突き合わせる。
【００４５】
この状態で、測定用ダミーファイバＦ０の光ファイバ心線Ｆ０１〜Ｆ０４にそれぞれ接続された４台のＯＴＤＲ測定器１１Ａが、被測定用ファイバＦ１の一番心光ファイバ心線Ｆ１１〜四番心光ファイバ心線Ｆ１４の伝送特性を測定する。
制御装置１３は、ＯＴＤＲ測定器１１Ａの測定結果から、被測定用ファイバＦ１の光ファイバ心線Ｆ１１〜Ｆ１４における製品の品質保証に必要な全測定データとなる伝送特性を取得する。
【００４６】
次に、図９（ｂ）に示すように、測定用ダミーファイバＦ０の光ファイバ心線Ｆ０１〜Ｆ０４を第六番溝Ｖｍ６〜第九番溝Ｖｍ９に保持させ、光ファイバ心線Ｆ０１〜Ｆ０４を被測定用ファイバＦ１の五番心光ファイバ心線Ｆ１５〜八番心光ファイバ心線Ｆ１８に対向させる。
そして、測定用ダミーファイバＦ０を被測定用ファイバＦ１側へ移動させ、測定用ダミーファイバＦ０の光ファイバ心線Ｆ０１〜Ｆ０４を被測定用ファイバＦ１の光ファイバ心線Ｆ１５〜Ｆ１８に突き合わせる。
【００４７】
この状態で、測定用ダミーファイバＦ０の光ファイバ心線Ｆ０１〜Ｆ０４に接続されたＯＴＤＲ測定器１１Ａが、被測定用ファイバＦ１の五番心光ファイバ心線Ｆ１５〜八番心光ファイバ心線Ｆ１８の伝送特性を測定する。
制御装置１３は、ＯＴＤＲ測定器１１Ａの測定結果から、被測定用ファイバＦ１の光ファイバ心線Ｆ１５〜Ｆ１８における製品の品質保証に必要な全測定データとなる伝送特性を取得する。
【００４８】
次に、ＯＴＤＲ測定器１１Ａからのデータに基づく再測定要否判定を行う。
制御装置１３は、１回目（光ファイバ心線Ｆ１１〜Ｆ１４）の測定および２回目（光ファイバ心線Ｆ１５〜Ｆ１８）の測定から得られたＯＴＤＲ測定器１１Ａの検知結果に異常があるか否かを判定する。
【００４９】
図９（ａ）に示す１回目の測定において、測定用ダミーファイバＦ０の光ファイバ心線Ｆ０１〜Ｆ０４は、被測定用ファイバＦ１の一番心光ファイバ心線Ｆ１１〜四番心光ファイバ心線Ｆ１４に突き合わされる。また、図９（ｂ）に示す２回目の測定において、測定用ダミーファイバＦ０の光ファイバ心線Ｆ０１〜Ｆ０４は、被測定用ファイバＦ１の五番心光ファイバ心線Ｆ１５〜八番心光ファイバ心線Ｆ１８に突き合わされる。このことから、正常であれば、ＯＴＤＲ測定器１１Ａの検知結果に、接続ロス値が過大となるような測定異常は生じることはない。
【００５０】
したがって、制御装置１３は、ＯＴＤＲ測定器１１Ａからのデータに基づいて、接続ロス値が過大となる測定異常があるか否かを判定する。そして、測定異常がある場合、制御装置１３は、軸ずれが生じたと判定し、再測定要として１回目（一番心光ファイバ心線Ｆ０１〜四番心光ファイバ心線Ｆ０４）の測定からやり直す。
【００５１】
以上説明した本実施形態とは異なり、８心の被測定用ファイバＦ１をＶ溝ブロック１４上のＶ溝Ｖｍに隙間なく挿入した場合、すなわち、第５番Ｖ溝Ｖｍ５にも被測定用ファイバＦ１の光ファイバ心線が挿入されている場合には、１回目の測定時に、測定用ダミーファイバＦ０が四番心光ファイバ心線Ｆ０４側にずれてＶ溝Ｖｍに挿入されてしまっても、対向する被測定用ファイバＦ１の光ファイバ心線が存在するため、接続ロス値が過大となることはない。また、２回目の測定時に、測定用ダミーファイバＦ０が一番心光ファイバ心線Ｆ０１側にずれてＶ溝Ｖｍに挿入されてしまっても、対向する被測定用ファイバＦ１の光ファイバ心線が存在するため、接続ロス値が過大となることはない。そのため、測定用ダミーファイバＦ０が適切なＶ溝Ｖｍに挿入されずに正規の被測定用ファイバＦ１と突き合わせされていない場合であっても、正常ケースと判断されてしまい、軸ずれの発生を正確に検出することができないことがあった。
【００５２】
一方、上記説明したように、本実施形態に係る光ファイバ測定方法および測定装置によれば、８本の光ファイバ心線Ｆ１１〜Ｆ１８を有する被測定用ファイバＦ１を４本ずつ第一グループＧ１と第二グループＧ２に分けて、第一グループＧ１と第二グループＧ２との間に第五番Ｖ溝Ｖｍ５を空けた状態で被測定用ファイバＦ１をＶ溝Ｖｍ（Ｖｍ１〜Ｖｍ４およびＶｍ６〜Ｖｍ９）内に配置して、グループＧ１、Ｇ２ごとに測定用ダミーファイバＦ０と突き合わせて伝送特性の測定を行う。これにより、測定用ダミーファイバＦ０が適切なＶ溝Ｖｍに挿入されていない場合は、いずれかのＯＴＤＲ測定器１１Ａの検知結果から算出された接続ロス値が過大となり、測定異常と判定される。そのため、軸ずれの有無を容易かつ正確に検出することができる。
【００５３】
また、櫛歯状の仕切り部材１８を用いることにより、被測定用ファイバＦ１の光ファイバ心線Ｆ１１〜Ｆ１８の先端部において、第一グループＧ１と第二グループＧ２との間の空隙を所定の範囲で拡張できる。そのため、本来は被測定用ファイバＦ１の光ファイバ心線Ｆ１１〜Ｆ１５が未挿入となるべき第五番Ｖ溝Ｖｍ５に、光ファイバ心線１１〜Ｆ１８のいずれかを誤って挿入してしまうことを確実に防止することができる。
【００５４】
（変形例）
図１０（ａ）および（ｂ）は、本実施形態の変形例に係る光ファイバ測定装置の構成および測定方法を説明する概略構成図である。
図１０（ａ）に示すように、本変形例においては、２台のＯＴＤＲ測定器１１Ａと１台のファイバ検知器１１Ｂが用いられている。一番心光ファイバ心線Ｆ０１および三番心光ファイバ心線Ｆ０３は、接続用単心光ファイバ４１を介して、それぞれＯＴＤＲ測定器１１Ａに接続されている。四番心光ファイバ心線Ｆ０４は、接続用単心光ファイバ４１を介してファイバ検知器１１Ｂに接続されている。なお、二番心光ファイバ心線Ｆ０２に接続された接続用単心光ファイバ４１の端部には、何も接続されていない。
【００５５】
なお、二番心光ファイバ心線Ｆ０２には、接続用単心光ファイバ４１を接続しなくてもよい。さらに、上記説明したように、光ファイバ心線はコアおよびクラッドを有するガラスファイバであるが、本変形例に係る二番心光ファイバ心線Ｆ０２としては、他の光ファイバ心線Ｆ０１，Ｆ０３，Ｆ０４と同一外径を有していれば、コアおよびクラッドから構成されていないものでもよい。
【００５６】
ファイバ検知器１１Ｂは、対向位置における被測定用ファイバＦ１の光ファイバ心線の有無を検知する。ファイバ検知器１１Ｂは、被測定用ファイバＦ１の光ファイバ心線の伝送特性を測定する必要はない。つまり、ファイバ検知器１１Ｂとしては、光ファイバ心線の有無を光学的に検知可能な安価なものを用いることができる。また、ファイバ検知器１１Ｂとしては、性能が低下したＯＴＤＲ測定器を用いることも可能である。
【００５７】
ＯＴＤＲ測定器は長期間の使用等による老朽化が原因で、ＬＤ（Laser Diode）光源の劣化に伴い波形ノイズの増加が進行し、測定されたＯＴＤＲ波形に局部的な微小波形変動が認められる場合がある。この場合、ファイバ特性と波形ノイズのいずれに起因するかの判別ができず、製品の品質保証に支障を来すため、このようなＯＴＤＲ測定器は光ファイバ心線の伝送特性の測定には使用不能となる。
【００５８】
但し、そのような老朽化が進行して性能が低下したＯＴＤＲ測定器であっても、ＯＴＤＲ波形に対してＬＳＡ(最小二乗近似：Least Square Approximation)を適用すると、測定用ダミーファイバＦ０と被測定用ファイバＦ１との間の接続ロス値に関しては、適切な測定値を取得することが可能である。
【００５９】
したがって、本変形例に係る光ファイバ測定装置は、性能が低下したＯＴＤＲ測定器をファイバ検知器１１Ｂとして用いている。そして、制御装置１３は、ファイバ検知器１１Ｂのデータの接続ロス値に基づいて、被測定用ファイバＦ１の光ファイバ心線の有無を検知する。したがって、ファイバ検知器１１Ｂで得られるデータについては、接続ロス値のみを用い、被測定用ファイバＦ１の品質保証データとしては用いられない。
【００６０】
次に、本変形例に係る光ファイバ測定方法について説明する。
図１１は、本変形例に係る光ファイバ測定方法の流れを説明するフローチャートである。
本変形例では、制御装置１３がＯＴＤＲ測定器１１Ａ、ファイバ検知器１１ＢおよびＭＡＳ１２を動作制御し、被測定用ファイバＦ１を４回に分けて測定し、その後、軸ずれによる再測定の要否を判定する。
【００６１】
（ステップＳ０１）
まず、以下の手順による第一グループＧ１の第一測定を実行する。
被測定用ファイバＦ１の光ファイバ心線Ｆ１１〜Ｆ１８をＶ溝ブロック１４の第一番溝Ｖｍ１〜第九番溝Ｖｍ９に保持させる（図３および図４参照）。このとき、第五番溝Ｖｍ５には光ファイバ心線は保持されない。
図１０（ａ）に示すように、測定用ダミーファイバＦ０の光ファイバ心線Ｆ０１〜Ｆ０４を第一番溝Ｖｍ１〜第四番溝Ｖｍ４に保持させ、被測定用ファイバＦ１の一番心光ファイバ心線Ｆ１１〜四番心光ファイバ心線Ｆ１４に対向させる。
【００６２】
次に、測定用ダミーファイバＦ０を被測定用ファイバＦ１側へ移動させ、測定用ダミーファイバＦ０の光ファイバ心線Ｆ０１〜Ｆ０４を被測定用ファイバＦ１の光ファイバ心線Ｆ１１〜Ｆ１４に突き合わせる。
【００６３】
この状態で、測定用ダミーファイバＦ０の一番心光ファイバ心線Ｆ０１および三番心光ファイバ心線Ｆ０３に接続したＯＴＤＲ測定器１１Ａで、被測定用ファイバＦ１の一番心光ファイバ心線Ｆ１１および三番心光ファイバ心線Ｆ１３の伝送特性を測定する。
【００６４】
制御装置１３は、第一グループＧ１の第一測定におけるＯＴＤＲ測定器１１Ａの測定結果から、被測定用ファイバＦ１の一番心光ファイバ心線Ｆ１１および三番心光ファイバ心線Ｆ１３における製品の品質保証に必要な全測定データとなる伝送特性を取得する。
また、制御装置１３は、測定用ダミーファイバＦ０の四番心の光ファイバ心線Ｆ０４に接続したファイバ検知器１１Ｂのデータから接続ロス値だけを取得する。
【００６５】
（ステップＳ０２）
次に、以下の手順による第一グループＧ１の第二測定を実行する。
図１０（ｂ）に示すように、測定用ダミーファイバＦ０を四番心光ファイバ心線Ｆ０４側へ１心ずつ移動させることで、測定用ダミーファイバＦ０の光ファイバ心線Ｆ０１〜Ｆ０４を第二番溝Ｖｍ２〜第五番溝Ｖｍ５に保持させる。そして、測定用ダミーファイバＦ０の一番心光ファイバ心線Ｆ０１〜三番心光ファイバ心線Ｆ０３を被測定用ファイバＦ１の二番心光ファイバ心線Ｆ１２〜四番心光ファイバ心線Ｆ１４に対向させる。
【００６６】
次に、測定用ダミーファイバＦ０を被測定用ファイバＦ１側へ移動させ、測定用ダミーファイバＦ０の光ファイバ心線Ｆ０１〜Ｆ０３を被測定用ファイバＦ１の光ファイバ心線Ｆ１２〜Ｆ１４に突き合わせる。このとき、測定用ダミーファイバＦ０の四番心光ファイバ心線Ｆ０４は、対向位置に被測定用ファイバＦ１の光ファイバ心線Ｆ１１〜Ｆ１８のいずれも配置されていない第五番溝Ｖｍ５に保持されている。したがって、四番心光ファイバ心線Ｆ０４には被測定用ファイバＦ１の光ファイバ心線は突き合わされない。
【００６７】
この状態で、測定用ダミーファイバＦ０の一番心光ファイバ心線Ｆ０１および三番心光ファイバ心線Ｆ０３に接続したＯＴＤＲ測定器１１Ａで、被測定用ファイバＦ１の二番心光ファイバ心線Ｆ１２および四番心光ファイバ心線Ｆ１４の伝送特性を測定する。
【００６８】
制御装置１３は、第二測定におけるＯＴＤＲ測定器１１Ａの測定結果から、被測定用ファイバＦ１の二番心光ファイバ心線Ｆ１２および四番心光ファイバ心線Ｆ１４における製品の品質保証に必要な全測定データとなる伝送特性を取得する。
また、制御装置１３は、測定用ダミーファイバＦ０の四番心の光ファイバ心線Ｆ０４に接続したファイバ検知器１１Ｂのデータから見かけ上の接続ロス値だけを取得する。
【００６９】
（ステップＳ０３）
次に、以下の手順による第二グループＧ２の第一測定を実行する。
図１０（ｃ）に示すように、測定用ダミーファイバＦ０の光ファイバ心線Ｆ０１〜Ｆ０４を第六番溝Ｖｍ６〜第九番溝Ｖｍ９に保持させ、被測定用ファイバＦ１の五番心光ファイバ心線Ｆ１５〜八番心光ファイバ心線Ｆ１８に対向させる。
【００７０】
次に、測定用ダミーファイバＦ０を被測定用ファイバＦ１側へ移動させ、測定用ダミーファイバＦ０の光ファイバ心線Ｆ０１〜Ｆ０４を被測定用ファイバＦ１の光ファイバ心線Ｆ１５〜Ｆ１８に突き合わせる。
【００７１】
この状態で、測定用ダミーファイバＦ０の一番心光ファイバ心線Ｆ０１および三番心光ファイバ心線Ｆ０３に接続したＯＴＤＲ測定器１１Ａで、被測定用ファイバＦ１の五番心光ファイバ心線Ｆ１５および七番心光ファイバ心線Ｆ１７の伝送特性を測定する。
【００７２】
制御装置１３は、第二グループＧ２の第一測定におけるＯＴＤＲ測定器１１Ａの測定結果から、被測定用ファイバＦ１の五番心光ファイバ心線Ｆ１５および七番心光ファイバ心線Ｆ１７における製品の品質保証に必要な全測定データとなる伝送特性を取得する。
また、制御装置１３は、測定用ダミーファイバＦ０の四番心光ファイバ心線Ｆ０４に接続したファイバ検知器１１Ｂのデータから接続ロス値だけを取得する。
【００７３】
（ステップＳ０４）
次に、以下の手順による第二グループＧ２の第二測定を実行する。
図１０（ｄ）に示すように、測定用ダミーファイバＦ０を四番心光ファイバ心線Ｆ０４側へ１心ずつ移動させることで、測定用ダミーファイバＦ０の光ファイバ心線Ｆ０１〜Ｆ０４を第七番溝Ｖｍ７〜第十番溝Ｖｍ１０に保持させる。そして、測定用ダミーファイバＦ０の一番心光ファイバ心線Ｆ０１〜三番心光ファイバ心線Ｆ０３を被測定用ファイバＦ１の六番心光ファイバ心線Ｆ１６〜八番心光ファイバ心線Ｆ１８に対向させる。
【００７４】
次に、測定用ダミーファイバＦ０を被測定用ファイバＦ１側へ移動させ、測定用ダミーファイバＦ０の光ファイバ心線Ｆ０１〜Ｆ０３を被測定用ファイバＦ１の光ファイバ心線Ｆ１６〜Ｆ１８に突き合わせる。このとき、測定用ダミーファイバＦ０の四番心光ファイバ心線Ｆ０４は、対向位置に被測定用ファイバＦ１の光ファイバ心線Ｆ１１〜Ｆ１８のいずれも配置されていない第十番溝Ｖｍ１０に保持されている。したがって、四番心光ファイバ心線Ｆ０４には被測定用ファイバＦ１の光ファイバ心線は突き合わされない。
【００７５】
この状態で、測定用ダミーファイバＦ０の一番心光ファイバ心線Ｆ０１および三番心光ファイバ心線Ｆ０３に接続したＯＴＤＲ測定器１１Ａで、被測定用ファイバＦ１の六番心光ファイバ心線Ｆ１６および八番心光ファイバ心線Ｆ１８の伝送特性を測定する。
【００７６】
制御装置１３は、第二グループＧ２の第二測定におけるＯＴＤＲ測定器１１Ａの測定結果から、被測定用ファイバＦ１の六番心光ファイバ心線Ｆ１２および八番心光ファイバ心線Ｆ１４における製品の品質保証に必要な全測定データとなる伝送特性を取得する。
また、制御装置１３は、測定用ダミーファイバＦ０の四番心光ファイバ心線Ｆ０４に接続したファイバ検知器１１Ｂのデータから見かけ上の接続ロス値だけを取得する。
【００７７】
（ステップＳ０５）
次に、ファイバ検知器１１Ｂからのデータに基づく再測定要否判定を行う。
制御装置１３は、第一グループＧ１の第一測定（ステップＳ０１）および第二測定（ステップＳ０２）と第二グループＧ２の第一測定（ステップＳ０３）および第二測定（ステップＳ０４）とから得られたファイバ検知器１１Ｂの検知結果が所定のパターンである正常パターンか否かを判定する。
【００７８】
第一グループＧ１の第一測定（ステップＳ０１）では、測定用ダミーファイバＦ０の四番心光ファイバ心線Ｆ０４は、被測定用ファイバＦ１の四番心光ファイバ心線Ｆ１４に突き合わされる。つまり、四番心光ファイバ心線Ｆ０４の対向位置には、四番心光ファイバ心線Ｆ１４が存在している。このため、ファイバ検知器１１Ｂからのデータでは、小さな接続ロス値（例えば、＋５ｄＢ以下）が得られる。そして、この接続ロス値に基づいて、四番心光ファイバ心線Ｆ０４の対向位置に四番心光ファイバ心線Ｆ１４が存在していることが検知される。
【００７９】
これに対して、第一グループＧ１の第二測定（ステップＳ０２）では、測定用ダミーファイバＦ０の四番心光ファイバ心線Ｆ０４には、何も突き合わされない。つまり、四番心光ファイバ心線Ｆ０４の対向位置には、光ファイバ心線Ｆ１１〜Ｆ１８のいずれも存在していない。このため、ファイバ検知器１１Ｂからのデータでは、過大な接続ロス値（例えば、＋１０ｄＢ以上）が得られる。そして、この接続ロス値に基づいて、四番心光ファイバ心線Ｆ０４の対向位置に光ファイバ心線Ｆ１１〜Ｆ１８のいずれも存在していないことが検知される。
【００８０】
また、第二グループＧ２の第一測定（ステップＳ０３）では、測定用ダミーファイバＦ０の四番心光ファイバ心線Ｆ０４は、被測定用ファイバＦ１の八番心光ファイバ心線Ｆ１８に突き合わされる。つまり、四番心光ファイバ心線Ｆ０４の対向位置には、八番心光ファイバ心線Ｆ１８が存在している。このため、ファイバ検知器１１Ｂからのデータでは、小さな接続ロス値（例えば、＋５ｄＢ以下）が得られる。そして、この接続ロス値に基づいて、四番心光ファイバ心線Ｆ０４の対向位置に八番心光ファイバ心線Ｆ１８が存在していることが検知される。
【００８１】
これに対して、第二グループＧ２の第二測定（ステップＳ０４）では、測定用ダミーファイバＦ０の四番心光ファイバ心線Ｆ０４には、何も突き合わされない。つまり、四番心光ファイバ心線Ｆ０４の対向位置には、光ファイバ心線Ｆ１１〜Ｆ１８のいずれも存在していない。このため、ファイバ検知器１１Ｂからのデータでは、過大な接続ロス値（例えば、＋１０ｄＢ以上）が得られる。そして、この接続ロス値に基づいて、四番心光ファイバ心線Ｆ０４の対向位置に光ファイバ心線Ｆ１１〜Ｆ１８のいずれも存在していないことが検知される。
【００８２】
制御装置１３は、ファイバ検知器１１Ｂからのデータに基づいて、接続ロス値が、第一グループＧ１および第二グループＧ２の第一測定（ステップＳ０１，ステップＳ０３）で「小」となりかつ第一グループＧ１および第二グループＧ２（ステップＳ０２，ステップＳ０４）の第二測定で「過大」となる正常パターンであるか否かを判定する。そして、接続ロス値が、正常パターンから外れている場合（ステップＳ０５：Ｎｏ）、制御装置１３は、軸ずれが生じたと判定し、再測定要として被測定用ファイバＦ１の測定を第一グループＧ１の第一測定（ステップＳ０１）からやり直す。
【００８３】
（ステップＳ０６）
次に、ＯＴＤＲ測定器１１Ａからのデータに基づく再測定要否判定を行う。
制御装置１３は、第一グループＧ１および第二グループＧ２の第一測定（ステップＳ０１，ステップＳ０３）および第二測定（ステップＳ０２，ステップＳ０４）から得られたＯＴＤＲ測定器１１Ａの検知結果に異常があるか否かを判定する。
【００８４】
第一グループＧ１の第一測定（ステップＳ０１）において、測定用ダミーファイバＦ０の一番心光ファイバ心線Ｆ０１および三番心光ファイバ心線Ｆ０３は、被測定用ファイバＦ１の一番心光ファイバ心線Ｆ１１および三番心光ファイバ心線Ｆ１３に突き合わされる。また、第一グループＧ１の第二測定（ステップＳ０２）において、測定用ダミーファイバＦ０の一番心光ファイバ心線Ｆ０１および三番心光ファイバ心線Ｆ０３は、被測定用ファイバＦ１の二番心光ファイバ心線Ｆ１２および四番心光ファイバ心線Ｆ１４に突き合わされる。さらに、第二グループＧ２の第一測定（ステップＳ０３）において、測定用ダミーファイバＦ０の一番心光ファイバ心線Ｆ０１および三番心光ファイバ心線Ｆ０３は、被測定用ファイバＦ１の五番心光ファイバ心線Ｆ１５および七番心光ファイバ心線Ｆ１７に突き合わされる。また、第二グループＧ２の第二測定（ステップＳ０４）において、測定用ダミーファイバＦ０の一番心光ファイバ心線Ｆ０１および三番心光ファイバ心線Ｆ０３は、被測定用ファイバＦ１の六番心光ファイバ心線Ｆ１６および八番心光ファイバ心線Ｆ１８に突き合わされる。このことから、ＯＴＤＲ測定器１１Ａからのデータは、正常であれば接続ロス値が過大となるような測定異常は生じることはない。
【００８５】
したがって、制御装置１３は、ＯＴＤＲ測定器１１Ａからのデータに基づいて、接続ロス値が過大となる測定異常があるか否かを判定する。そして、測定異常がある場合（ステップＳ０６：Ｙｅｓ）、制御装置１３は、軸ずれが生じたと判定し、再測定要として被測定用ファイバＦ１の測定を第一グループＧ１の第一測定（ステップＳ０１）からやり直す。
【００８６】
次に、本変形例に係る光ファイバ測定方法における各種の測定ケースおよび各測定ケースにおける再測定要否判定について説明する。
図１２〜図１５は、光ファイバの伝送特性測定時における各種の測定ケースを示す図である。
【００８７】
図１２〜図１５は、本変形例に係る光ファイバ測定装置１０の測定ケースの例として、正常ケースＡ、および軸ずれが生じた異常ケースＢ１〜Ｂ１１，Ｃ１〜Ｃ１１を示す。なお、異常ケースＢ１〜Ｂ１１は、測定用ダミーファイバＦ０が四番心光ファイバ心線Ｆ０４側へ軸ずれするケースであり、異常ケースＣ１〜Ｃ１１は、測定用ダミーファイバＦ０が一番心光ファイバ心線Ｆ０１側へ軸ずれするケースである。
【００８８】
（正常ケースＡ）
正常ケースＡは、第一グループＧ１の第一測定および第二測定、第二グループＧ２の第一測定および第二測定のいずれにおいても軸ずれが生じていないケースである。
【００８９】
正常ケースＡでは、測定用ダミーファイバＦ０の四番心光ファイバ心線Ｆ０４に接続されたファイバ検知器１１Ｂのデータに基づく接続ロス値が、第一グループＧ１および第二グループＧ２の第一測定で「小」となり、かつ第一グループＧ１および第二グループＧ２の第二測定で「過大」となる。すなわち、１回目の測定で「小」、２回目の測定で「過大」、３回目の測定で「小」、４回目の測定で「過大」となるのが正常パターンである。
【００９０】
また、正常ケースＡでは、２台のＯＴＤＲ測定器１１Ａのデータに基づく接続ロス値は、いずれも過大となることはない。
したがって、正常ケースＡでは、軸ずれなし（ステップＳ０５：Ｙｅｓ，ステップＳ０６：Ｎｏ）と判定されて被測定用ファイバＦ１に対する測定が正常に終了される。
【００９１】
（異常ケースＢ１〜Ｂ１１）
異常ケースＢ１〜Ｂ１１のうち、異常ケースＢ４以外のケースでは、測定用ダミーファイバＦ０の四番心光ファイバ心線Ｆ０４に接続されたファイバ検知器１１Ｂのデータに基づく接続ロス値が、正常パターンから外れる。したがって、これらの異常ケースでは、軸ずれあり（ステップＳ０５：Ｎｏ）と判定されて再測定が行われる。
【００９２】
異常ケースＢ４では、測定用ダミーファイバＦ０の四番心光ファイバ心線Ｆ０４に接続されたファイバ検知器１１Ｂのデータに基づく接続ロス値は、正常パターンと同一である。したがって、ファイバ検知器１１Ｂのデータからは、軸ずれありと判定することはできない。しかし、この異常ケースＢ４では、第二グループＧ２の第二測定において、三番心光ファイバ心線Ｆ０３に接続されたＯＴＤＲ測定器１１Ａのデータに基づく接続ロス値が、正常ケースＡとは異なり過大となるため、測定異常と判定される。したがって、異常ケースＢ４では、軸ずれあり（ステップＳ０６：Ｙｅｓ）と判定されて再測定が行われる。
【００９３】
なお、異常ケースＢ１、Ｂ３、Ｂ６〜Ｂ８では、２台のＯＴＤＲ測定器１１Ａの波形データが、第一測定と第二測定とで通常では起こらない完全一致となる。このことから、軸ずれが生じていると判定することも可能である。
【００９４】
また、異常ケースＢ２、Ｂ５、Ｂ７〜Ｂ１１では、三番心光ファイバ心線Ｆ０３に接続されたＯＴＤＲ測定器１１Ａのデータに基づく接続ロス値が、正常ケースＡとは異なり過大となる。このことから、軸ずれが生じていると判定することも可能である。
【００９５】
（異常ケースＣ１〜Ｃ１１）
異常ケースＣ１〜Ｃ１１のうち、異常ケースＣ３以外のケースでは、測定用ダミーファイバＦ０の四番心光ファイバ心線Ｆ０４に接続されたファイバ検知器１１Ｂのデータに基づく接続ロス値が、正常パターンから外れる。したがって、これらの異常ケースでは、軸ずれあり（ステップＳ０５：Ｎｏ）と判定されて再測定が行われる。
【００９６】
異常ケースＣ３では、測定用ダミーファイバＦ０の四番心光ファイバ心線Ｆ０４に接続されたファイバ検知器１１Ｂのデータに基づく接続ロス値は、正常パターンと同一である。したがって、ファイバ検知器１１Ｂのデータからは、軸ずれありと判定することはできない。しかし、この異常ケースＣ３では、第二グループＧ２の第一測定において、一番心光ファイバ心線Ｆ０１に接続されたＯＴＤＲ測定器１１Ａのデータに基づく接続ロス値が、正常ケースＡとは異なり過大となるため、測定異常と判定される。したがって、異常ケースＣ３では、軸ずれあり（ステップＳ０６：Ｙｅｓ）と判定されて再測定が行われる。
【００９７】
なお、異常ケースＣ２、Ｃ４、Ｃ７、Ｃ９、Ｃ１０では、２台のＯＴＤＲ測定器１１Ａの波形データが、第一測定と第二測定とで通常では起こらない完全一致となる。このことから、軸ずれが生じていると判定することも可能である。
【００９８】
また、異常ケースＣ１、Ｃ５〜Ｃ１１では、一番心光ファイバ心線Ｆ０１に接続されたＯＴＤＲ測定器１１Ａのデータに基づく接続ロス値が、正常ケースＡとは異なり過大となる。このことから、軸ずれが生じていると判定することも可能である。
【００９９】
以上説明した本変形例とは異なり、８心の被測定用ファイバＦ１をＶ溝ブロック１４上のＶ溝に隙間なく挿入した場合、すなわち、第５番Ｖ溝Ｖｍ５に被測定用ファイバＦ１の光ファイバ心線が挿入されている場合には、第一グループＧ１の第二測定において、測定用ダミーファイバＦ０の４番心光ファイバ心線Ｆ０４の接続ロス値が、正常ケースＡと同様に「小」となってしまう。そのため、測定用ダミーファイバＦ０が正規の被測定用ファイバＦ１と突き合わせされていない場合であっても、その軸ずれの発生を正確に検出することができなかった。
【０１００】
一方、上記で説明したように、本変形例に係る光ファイバ測定方法および測定装置によれば、第一グループＧ１と第二グループＧ２との間に第五番Ｖ溝Ｖｍ５を空けた状態で被測定用ファイバＦ１をＶ溝Ｖｍ（Ｖｍ１〜Ｖｍ４およびＶｍ６〜Ｖｍ９）内に配置して、グループＧ１、Ｇ２ごとに測定用ダミーファイバＦ０と突き合わせて第一測定および第二測定を行う。これにより、測定用ダミーファイバＦ０が適切なＶ溝Ｖｍに挿入されていない場合は、接続ロス値が過大となり正常パターンから外れるため、測定異常と判断される。そのため、軸ずれの有無を容易かつ正確に検出することができる。
【０１０１】
また、ＯＴＤＲ測定器１１Ａを２台のみ用いて、第一グループＧ１および第二グループＧ２ごとに第一測定と第二測定の２回の測定を行うことで、８心の被測定用ファイバＦ１の全ての光ファイバ心線Ｆ１１〜Ｆ１８の伝送特性を測定することができる。そのため、高価なＯＴＤＲ測定器１１Ａを測定用ダミーファイバＦ０の光ファイバ心線Ｆ０１〜Ｆ０４の数だけ用いる必要がなく、設備費を抑えることができる。
また、軸ずれの有無の判定に用いるファイバ検知器１１Ｂとしては、光学的に光ファイバ心線の有無を検知する安価なものを用いたり、老朽化して性能が低下したＯＴＤＲ測定器を有効利用することができ、経済的である。
【０１０２】
以上、本発明を詳細にまた特定の実施態様を参照して説明したが、本発明の精神と範囲を逸脱することなく様々な変更や修正を加えることができることは当業者にとって明らかである。また、上記説明した構成部材の数、位置、形状等は上記実施の形態に限定されず、本発明を実施する上で好適な数、位置、形状等に変更することができる。
【０１０３】
例えば、図１６に示すように、Ｖ溝ブロック１４の第五番溝Ｖｍ５に、磁石等にて固定可能な遮蔽ブロック３０を予め設置する構成を採用してもよい。この構成によれば、被測定用ファイバＦ１の光ファイバ心線Ｆ１１〜Ｆ１８の第五番溝Ｖｍ５への誤挿入をより確実に阻止することが可能となる。なお、遮蔽ブロック３０は、第五番溝Ｖｍ５への誤挿入を防止できるものであれば、図１６に示す形状に限られない。
【０１０４】
また、上記実施形態では、第一グループＧ１と第二グループＧ２との間に、１つのＶ溝（第五番Ｖ溝Ｖｍ５）を空けた状態で、第一グループＧ１および第二グループＧ２の光ファイバ心線Ｆ１１〜Ｆ１８がＶ溝Ｖｍに保持された例を挙げているが、この例に限られない。例えば、第一グループＧ１と第二グループＧ２との間に２つ以上のＶ溝Ｖｍを空けた状態で、光ファイバ心線Ｆ１１〜Ｆ１８がＶ溝Ｖｍに保持されてもよい。この構成によっても、軸ずれの有無を容易かつ正確に検出することができる。
【０１０５】
また、上記実施形態では、一番心光ファイバ心線Ｆ１１〜八番心光ファイバ心線Ｆ１８を含む８心の被測定用ファイバＦ１の伝送特性を測定する例を挙げているが、この例に限られない。例えば、１２本の光ファイバ心線が一体化された１２心の被測定用ファイバの伝送特性を測定する場合に、本実施形態の光ファイバ測定方法および測定装置を採用してもよい。１２心の被測定用ファイバの場合は、光ファイバ心線を４本ずつの３つのグループに分けて、各グループの間に少なくとも１つのＶ溝を空けた状態で、光ファイバ心線をＶ溝に保持させる。そして、第二グループの被測定用ファイバの測定の後に、三番目のグループ（第三グループ）の被測定用ファイバを測定用ダミーファイバと突き合わせて、当該第三グループの被測定用ファイバの光ファイバ心線の伝送特性を測定する。このような１２心の被測定用ファイバの伝送特性を測定する際も、グループ間に少なくとも１つのＶ溝を空けた状態で光ファイバ心線がＶ溝に保持されるため、軸ずれの有無を容易かつ正確に検出することができる。
【符号の説明】
【０１０６】
１０：光ファイバ測定装置
１１Ａ：ＯＴＤＲ測定器（伝送特性測定器）
１１Ｂ：ファイバ検知器
１２：測定補助装置
１３：制御装置
１４：Ｖ溝ブロック
１５：制御信号
１６：測定データ
１７：制御信号
１８：仕切り部材
１８Ａ：第一櫛歯
１８Ｂ：第二櫛歯
１８Ｃ：第三櫛歯
１８Ｄ：基部
２０：可動ヘッド
２１：ダミーホルダ
２２：ガイドレール
２３：テープホルダ
２４：ステージ
３０：遮蔽ブロック
４１：接続用単心光ファイバ
Ｆ０：測定用ダミーファイバ
Ｆ０１〜Ｆ０４：光ファイバ心線
Ｆ１：被測定用ファイバ
Ｆ１１〜Ｆ１８：光ファイバ心線
Ｇ１：第一グループ
Ｇ２：第二グループ
Ｖｍ：Ｖ溝
Ｖｍ０〜Ｖｍ１０：第零番Ｖ溝〜第十番Ｖ溝
【図１】
0006375863.tif 000002
【図２】
0006375863.tif 000003
【図３】
0006375863.tif 000004
【図４】
0006375863.tif 000005
【図５】
0006375863.tif 000006
【図６】
0006375863.tif 000007
【図７】
0006375863.tif 000008
【図８】
0006375863.tif 000009
【図９】
0006375863.tif 000010
【図１０】
0006375863.tif 000011
【図１１】
0006375863.tif 000012
【図１２】
0006375863.tif 000013
【図１３】
0006375863.tif 000014
【図１４】
0006375863.tif 000015
【図１５】
0006375863.tif 000016
【図１６】
0006375863.tif 000017